(57)【特許請求の範囲】
【請求項１】
特定のデバイスと無線通信を実行するための無線通信装置であって、
第１のネットワーク識別子を含む第１の設定情報を格納するメモリと、
前記第１の設定情報又は前記第１の設定情報とは異なる第２の設定情報を利用して、前記特定のデバイスと無線通信を実行する無線通信部と、
前記無線通信装置が現在利用すべき設定情報である対象設定情報が、前記第２の設定情報である場合に、前記第２の設定情報を利用して、前記特定のデバイスと無線通信を実行可能であるのか否かを判断する判断部と、
前記第２の設定情報を利用して、前記特定のデバイスと無線通信を実行可能でないと判断される場合において、前記特定のデバイスから前記第１のネットワーク識別子が受信される場合に、前記対象設定情報を前記第２の設定情報から前記第１の設定情報に変更し、
前記第２の設定情報を利用して、前記特定のデバイスと無線通信を実行可能でないと判断される場合において、前記特定のデバイスから前記第１のネットワーク識別子が受信されない場合に、前記対象設定情報として前記第２の設定情報を維持する、設定変更部と、
を備える無線通信装置。
【請求項２】
前記メモリは、さらに、前記第２の設定情報を格納し、
前記対象設定情報が前記第２の設定情報から前記第１の設定情報に変更される特定の場合に、
前記無線通信部は、さらに、前記対象設定情報である前記第１の設定情報を利用して、前記第２の設定情報を、前記特定のデバイスに送信し、
前記設定変更部は、さらに、前記第２の設定情報が、前記特定のデバイスに送信された後、前記対象設定情報を前記第１の設定情報から前記第２の設定情報に変更する、請求項１に記載の無線通信装置。
【請求項３】
前記無線通信部は、
前記特定の場合において、前記第２の設定情報に含まれる第２のネットワーク識別子であって、前記第１のネットワーク識別子とは異なる前記第２のネットワーク識別子が受信される第１の場合に、前記第２の設定情報を、前記特定のデバイスに送信し、
前記特定の場合において、前記第２のネットワーク識別子が受信されない第２の場合に、前記第２の設定情報を、前記特定のデバイスに送信せず、
前記設定変更部は、前記第１の場合に、前記対象設定情報を前記第１の設定情報から前記第２の設定情報に変更し、前記第２の場合に、前記対象設定情報として前記第１の設定情報を維持する、請求項２に記載の無線通信装置。
【請求項４】
前記無線通信装置は、さらに、
前記第２の場合に、前記第２の設定情報を、前記メモリから消去する消去部を備える、請求項３に記載の無線通信装置。
【請求項５】
前記無線通信装置は、さらに、
前記第２の設定情報を利用して、前記特定のデバイスと無線通信を実行可能でないと判断される場合に、前記第１の設定情報を利用した無線通信を、前記特定のデバイスに実行させるための情報を、出力部に出力させる出力制御部を備える、請求項１から４のいずれか一項に記載の無線通信装置。
【請求項６】
前記第１のネットワーク識別子は、前記無線通信装置に固有の第１の識別情報と、前記特定のデバイスに固有の第２の識別情報と、を用いて得られる、第１のネットワークに固有のネットワーク識別子であり、
前記第１のネットワークは、前記無線通信装置が前記第１の設定情報を利用して前記特定のデバイスと無線通信を実行するためのネットワークである、請求項１から５のいずれか一項に記載の無線通信装置。
【請求項７】
前記第１の設定情報は、アドホックの無線設定情報を含み、
前記第２の設定情報は、インフラストラクチャの無線設定情報を含む、請求項１から６に記載の無線通信装置。
【請求項８】
特定のデバイスと無線通信を実行するための無線通信装置のためのコンピュータプログラムであって、
前記無線通信装置は、第１のネットワーク識別子を含む第１の設定情報を格納するメモリを備え、
前記コンピュータプログラムは、前記無線通信装置に搭載されるコンピュータに、以下の処理、即ち、
前記第１の設定情報又は前記第１の設定情報とは異なる第２の設定情報を利用して、前記特定のデバイスと無線通信を実行する無線通信処理と、
前記無線通信装置が現在利用すべき設定情報である対象設定情報が、前記第２の設定情報である場合に、前記第２の設定情報を利用して、前記特定のデバイスと無線通信を実行可能であるのか否かを判断する判断処理と、
前記第２の設定情報を利用して、前記特定のデバイスと無線通信を実行可能でないと判断される場合において、前記特定のデバイスから前記第１のネットワーク識別子が受信される場合に、前記対象設定情報を前記第２の設定情報から前記第１の設定情報に変更し、
前記第２の設定情報を利用して、前記特定のデバイスと無線通信を実行可能でないと判断される場合において、前記特定のデバイスから前記第１のネットワーク識別子が受信されない場合に、前記対象設定情報として前記第２の設定情報を維持する、設定変更処理と、を実行させるコンピュータプログラム。
【発明の詳細な説明】
【技術分野】
【０００１】
本明細書では、特定のデバイスと無線通信を実行するための無線通信装置を開示する。
【背景技術】
【０００２】
特許文献１には、多機能機と通話デバイスとが、第２の無線設定情報を利用して、アクセスポイント（以下「ＡＰ」（Access Pointの略）と呼ぶ）を介した無線通信を実行するための技術が開示されている。この技術では、多機能機は、第２の無線設定情報とは異なる第１の無線設定情報を利用して、ＡＰを介さない無線通信を実行することによって、第２の無線設定情報を、通話デバイスに送信する。通話デバイスは、通話デバイスに現在設定されている第１の無線設定情報を、多機能機から受信された第２の無線設定情報に変更する。通話デバイスは、第１の無線設定情報を第２の無線設定情報に変更する際に、接続完了通知を多機能機に送信する。多機能機は、通話デバイスから接続完了通知を受信すると、多機能機の第１の無線設定情報を第２の無線設定情報に変更する。これにより、多機能機と通話デバイスとは、第２の無線設定情報を利用して、ＡＰを介した無線通信を実行することができる。
【先行技術文献】
【特許文献】
【０００３】
【特許文献１】特開２０１１−２０５５８１号公報
【発明の概要】
【発明が解決しようとする課題】
【０００４】
本明細書では、無線通信装置が、適切な設定情報を利用して無線通信を実行し得る技術を提供する。
【課題を解決するための手段】
【０００５】
本明細書では、特定のデバイスと無線通信を実行するための無線通信装置を開示する。無線通信装置は、メモリと無線通信部と判断部と設定変更部とを備える。メモリは、第１のネットワーク識別子を含む第１の設定情報を格納する。無線通信部は、第１の設定情報又は第１の設定情報とは異なる第２の設定情報を利用して、特定のデバイスと無線通信を実行する。判断部は、無線通信装置が現在利用すべき設定情報である対象設定情報が、第２の設定情報である場合に、第２の設定情報を利用して、特定のデバイスと無線通信を実行可能であるのか否かを判断する。設定変更部は、第２の設定情報を利用して、特定のデバイスと無線通信を実行可能でないと判断される場合において、特定のデバイスから第１のネットワーク識別子が受信される場合に、対象設定情報を第２の設定情報から第１の設定情報に変更する。設定変更部は、第２の設定情報を利用して、特定のデバイスと無線通信を実行可能でないと判断される場合において、特定のデバイスから第１のネットワーク識別子が受信されない場合に、対象設定情報として第２の設定情報を維持する。
【０００６】
第２の設定情報を利用して、特定のデバイスと無線通信を実行可能でないと判断される場合において、特定のデバイスから第１のネットワーク識別子が受信される場合には、無線通信装置が、第１の設定情報を利用して、特定のデバイスと無線通信を実行可能である可能性が高い。従って、このような場合には、無線通信装置は、対象設定情報を第２の設定情報から第１の設定情報に変更する。この結果、無線通信装置は、第１の設定情報を利用して、特定のデバイスと無線通信を適切に実行し得る。一方、第２の設定情報を利用して、特定のデバイスと無線通信を実行可能でないと判断される場合において、特定のデバイスから第１のネットワーク識別子が受信されない場合には、無線通信装置が、第１の設定情報を利用して、特定のデバイスと無線通信を実行可能である可能性が低い。従って、このような場合には、無線通信装置は、対象設定情報として第２の設定情報を維持する。この結果、例えば、無線通信装置が、第２の設定情報を利用して、特定のデバイスとは異なる機器と無線通信を実行可能な状態である場合に、このような状態が維持される。この構成によれば、第２の設定情報を利用して、特定のデバイスと無線通信を実行可能でない場合に、無線通信装置は、適切な設定情報を利用して無線通信を実行し得る。
【０００７】
メモリは、さらに、第２の設定情報を格納してもよい。対象設定情報が第２の設定情報から第１の設定情報に変更される特定の場合に、無線通信部は、さらに、対象設定情報である第１の設定情報を利用して、第２の設定情報を、特定のデバイスに送信し、設定変更部は、さらに、第２の設定情報が、特定のデバイスに送信された後、対象設定情報を第１の設定情報から第２の設定情報に変更してもよい。この構成によれば、例えば、特定のデバイスに格納されていた第２の設定情報が消去された場合に、無線通信装置は、第２の設定情報を、特定のデバイスに提供することができる。この結果、無線通信装置及び特定のデバイスは、同じ第２の設定情報を利用して、無線通信を実行し得る。この構成によれば、無線通信装置は、第２の設定情報を利用して、特定のデバイスと無線通信を実行し得る。
【０００８】
無線通信部は、特定の場合において、第２の設定情報に含まれる第２のネットワーク識別子であって、第１のネットワーク識別子とは異なる第２のネットワーク識別子が受信される第１の場合に、第２の設定情報を、特定のデバイスに送信し、特定の場合において、第２のネットワーク識別子が受信されない第２の場合に、第２の設定情報を、特定のデバイスに送信しなくてもよい。設定変更部は、第１の場合に、対象設定情報を第１の設定情報から第２の設定情報に変更し、第２の場合に、対象設定情報として第１の設定情報を維持してもよい。第２のネットワーク識別子が受信される場合には、無線通信装置が、第２の設定情報を利用して、特定のデバイスと無線通信を実行可能である可能性が高い。従って、このような場合には、無線通信装置は、第２の設定情報を特定のデバイスに送信し、対象設定情報を第１の設定情報から第２の設定情報に変更する。この結果、無線通信装置は、第２の設定情報を利用して、特定のデバイスと無線通信を実行し得る。一方、第２のネットワーク識別子が受信されない場合には、無線通信装置が、第２の設定情報を利用して、特定のデバイスと無線通信を実行可能である可能性が低い。この場合、無線通信装置は、第２の設定情報を特定のデバイスに送信せず、対象設定情報として第１の設定情報を維持する。この結果、無線通信装置は、第１の設定情報を利用して、特定のデバイスと無線通信を実行し得る。
【０００９】
無線通信装置は、さらに、第２の場合に、第２の設定情報を、メモリから消去する消去部を備えていてもよい。この構成によれば、無線通信装置は、無線通信を実行するために利用できない可能性が高い第２の設定情報を、消去することができる。この結果、メモリ内に不要な情報が格納され続けるのを抑制することができる。
【００１０】
無線通信装置は、さらに、第２の設定情報を利用して、特定のデバイスと無線通信を実行可能でないと判断される場合に、第１の設定情報を利用した無線通信を、特定のデバイスに実行させるための情報を、出力部に出力させる出力制御部を、備えていてもよい。この構成によれば、特定のデバイスは、第１の設定情報を利用した無線通信を実行し得る。
【００１１】
第１のネットワーク識別子は、無線通信装置に固有の第１の識別情報と、特定のデバイスに固有の第２の識別情報と、を用いて得られる、第１のネットワークに固有のネットワーク識別子であってもよい。第１のネットワークは、無線通信装置が第１の設定情報を利用して特定のデバイスと無線通信を実行するためのネットワークであってもよい。
【００１２】
第１の設定情報は、アドホックの無線設定情報を含み、第２の設定情報は、インフラストラクチャの無線設定情報を含んでいてもよい。この構成によれば、無線通信装置は、アドホックの無線設定情報とインフラストラクチャの無線設定情報とのうち、適切な設定情報を利用して無線通信を実行し得る。
【００１３】
なお、上記の無線通信装置を実現するための制御方法、コンピュータプログラム、及び、当該コンピュータプログラムを格納するコンピュータ読取可能記憶媒体も新規で有用である。また、上記の無線通信装置と上記の特定デバイスとを備える無線通信システムも新規で有用である。
【図面の簡単な説明】
【００１４】
【図１】無線通信システムの構成を示す。
【図２】多機能機と通話デバイスとが実行する基本処理のシーケンス図を示す。
【図３】多機能機が実行する通信状態判断処理のフローチャートを示す。
【図４】通話デバイスが実行する通信処理のフローチャートを示す。
【図５】通話デバイスがリセットされた第１ケースを説明するためのシーケンス図を示す。
【図６】通話デバイスがリセットされなかった第２ケースを説明するためのシーケンス図を示す。
【図７】通話デバイスが無線通信不可能な状態になった第３ケースを説明するためのシーケンス図を示す。
【図８】ＡＰが変更された第４ケースを説明するためのシーケンス図を示す。
【図９】図８の続きのシーケンス図を示す。
【発明を実施するための形態】
【００１５】
（システムの構成）
図１に示されるように、無線通信システム２は、ＡＰ６と、ＰＣ９と、ＦＡＸ通信システム７と、ＦＡＸ装置４と、を備える。ＦＡＸ通信システム７は、多機能機１０と通話デバイス７０とを備える。多機能機１０及び通話デバイス７０は、ＡＰ６を介して、又は、ＡＰ６を介さずに、相互に無線通信を実行可能である。即ち、多機能機１０及び通話デバイス７０は、ＡＰ６を介するインフラストラクチャの無線通信、又は、ＡＰ６を介さないアドホックの無線通信を実行可能である。なお、本実施例では、ＩＥＥＥ（The Institute of Electrical and Electronics Engineers, Inc.）の８０２．１１の規格、及び、それに準ずる規格（例えば８０２．１１ａ，１１ｂ等）に基づいて、無線通信が実行される。従って、後述の設定情報ＷＳ１，ＷＳ２，ＷＳ３は、上記の規格に適合する設定情報である。なお、通話デバイス７０は、一般公衆回線網であるＰＳＴＮ（Public Switched Telephone Network）８を介して、ＦＡＸ装置４との間で、ＦＡＸデータの通信を実行可能である。また、多機能機１０は、ＡＰ６を介して、ＰＣ９と無線通信を実行可能である。
【００１６】
（多機能機１０の構成）
多機能機（「親機」と呼んでもよい）１０は、操作部１２と、表示部１４と、印刷実行部１６と、スキャン実行部１８と、無線インターフェース２０と、制御部３０と、を備える。操作部１２は、複数のキーを備える。ユーザは、操作部１２を操作することによって、様々な指示を多機能機１０に入力することができる。表示部１４は、様々な情報を表示するためのディスプレイである。印刷実行部１６は、インクジェット方式、レーザ方式等の印刷機構である。スキャン実行部１８は、ＣＣＤ、ＣＩＳ等のスキャン機構である。無線インターフェース２０は、無線通信を実行するためのインターフェースである。
【００１７】
制御部３０は、ＣＰＵ３２と、ＮＶＲＡＭ（不揮発性メモリ）３４と、ＶＲＡＭ（揮発性メモリ）４０と、ＲＯＭ４３と、を備える。ＣＰＵ３２は、ＲＯＭ４３に格納されているプログラム４４に従って、様々な処理を実行する。ＣＰＵ３２がプログラム４４に従って処理を実行することによって、各部５２〜６２の機能が実現される。
【００１８】
ＮＶＲＡＭ３４は、指定設定格納領域３６と初期設定格納領域３８とを備える。初期設定格納領域３８は、多機能機１０のベンダによって予め決められた設定情報（即ち、デフォルトの認証方式、デフォルトの暗号化方式、デフォルトのパスワード等）を格納するための記憶領域である。以下では、初期設定格納領域３８に記憶される設定情報のことを「初期設定ＷＳ１」と呼ぶ。初期設定ＷＳ１は、多機能機１０の出荷段階において、多機能機１０に予め格納されている。初期設定ＷＳ１は、アクセスポイント６を介さない無線通信を実現するためのアドホックの無線設定情報である。
【００１９】
初期設定ＷＳ１は、初期設定ＷＳ１を利用して無線通信を実行するためのネットワーク（即ちアドホックのネットワーク）を識別するためのネットワーク識別子であるＳＳＩＤ（Service Set Identifierの略）（以下では、「ＷＳ１のＳＳＩＤ」と呼ぶ）を含む。ＷＳ１のＳＳＩＤは、多機能機１０のベンダによって生成される。ＷＳ１のＳＳＩＤ「ＡＡＡＹＹＹ」は、多機能機１０の製造番号（即ちＡＡＡＢＢＢ）の一部である「ＡＡＡ」と通話デバイス７０の製造番号（即ちＹＹＹＺＺＺ）の一部である「ＹＹＹ」とを用いて生成される。
【００２０】
ユーザは、多機能機１０が初期設定ＷＳ１と異なる設定情報を利用して、無線通信を実行することを望む場合に、例えば、多機能機１０の操作部１２を操作して、多機能機１０が利用すべき設定情報（即ち、認証方式、暗号化方式、パスワード等）を指定することができる。以下では、ユーザによって指定される多機能機１０の設定情報のことを「指定設定ＷＳ」と呼ぶ。指定設定格納領域３６は、指定設定ＷＳを格納するための記憶領域である。なお、本実施例では、指定設定ＷＳは、アクセスポイント６を介して無線通信を実現するためのインフラストラクチャの無線設定情報である。従って、指定設定ＷＳは、アドホックの無線設定情報である初期設定ＷＳ１と異なる。
【００２１】
ＶＲＡＭ４０は、対象設定格納領域４２を備える。対象設定格納領域４２は、多機能機１０が無線通信を実行する際に、現在利用すべき設定情報を格納するための記憶領域である。多機能機１０が出荷されてから、ユーザによって指定設定ＷＳが指定されるまでの間では、多機能機１０の電源がＯＮにされると、ＣＰＵ３２は、初期設定ＷＳ１を、初期設定格納領域３８から読み出して、対象設定格納領域４２に格納する。これにより、多機能機１０は、アドホックの無線設定情報を用いて、無線通信を実行することができる。ユーザによって指定設定ＷＳが指定された後には、多機能機１０の電源がＯＮにされると、通常、ＣＰＵ３２は、指定設定ＷＳを対象設定格納領域４２に格納する。これにより、多機能機１０は、インフラストラクチャの無線設定情報を用いて、無線通信を実行することができる。
【００２２】
即ち、多機能機１０は、インフラストラクチャモードとアドホックモードの２種類のモードのいずれかのモードで無線通信を実行する。多機能機１０は、初期設定ＷＳ１が対象設定格納領域４２に格納されている場合に、アドホックモードで無線通信を実行し、指定設定ＷＳが対象設定格納領域４２に格納されている場合に、インフラストラクチャモードで無線通信を実行する。
【００２３】
（通話デバイス７０の構成）
通話デバイス（「子機」と呼んでもよい）７０は、マイク７２と、スピーカ７４と、ＰＳＴＮインターフェース７６と、無線インターフェース７８と、制御部８０と、リセットボタン７９と、を備える。通話デバイス７０がマイク７２とスピーカ７４を備えるために、ユーザは、通話デバイス７０を用いて、ＰＳＴＮ８を介した電話通信を実行することができる。ＰＳＴＮインターフェース７６は、ＰＳＴＮ８に接続される。具体的には、ＰＳＴＮインターフェース７６には、ＰＳＴＮケーブルの一端が接続される。ＰＳＴＮケーブルの他端は、例えば、家庭内のＰＳＴＮ用ソケットに接続される。無線インターフェース７８は、無線通信を実行するためのインターフェースである。
【００２４】
制御部８０は、ＣＰＵ８２と、ＮＶＲＡＭ８４と、ＶＲＡＭ９０と、を備える。ＣＰＵ８２は、通話デバイス７０のＲＯＭ（図示省略）に格納されているプログラムに従って、様々な処理を実行する。
【００２５】
ＮＶＲＡＭ８４は、指定設定格納領域８６と初期設定格納領域８８とを備える。初期設定格納領域８８は、多機能機１０と同じアドホックの初期設定ＷＳ１を格納するための記憶領域である。初期設定ＷＳ１は、通話デバイス７０の出荷段階（即ち多機能機１０の出荷段階）において、通話デバイス７０に予め格納されている。
【００２６】
ユーザは、通話デバイス７０が初期設定ＷＳ１と異なる設定情報を利用して、多機能機１０と無線通信を実行することを望む場合に、例えば、多機能機１０の操作部１２を操作して、通話デバイス７０が利用すべき設定情報（即ち、認証方式、暗号化方式、パスワード等）（即ち指定設定ＷＳ）を指定することができる。多機能機１０は、ユーザによって指定設定ＷＳが指定されると、多機能機１０の現在利用すべき設定情報（例えば初期設定ＷＳ１）を用いて、指定設定ＷＳを通話デバイス７０に無線で送信する。これにより、通話デバイス７０は、指定設定ＷＳを取得することができる。
【００２７】
指定設定格納領域８６は、指定設定ＷＳを格納するための記憶領域である。なお、本実施例では、指定設定ＷＳは、インフラストラクチャの無線設定情報である。従って、指定設定ＷＳは、アドホックの初期設定ＷＳ１と異なる。
【００２８】
ＶＲＡＭ９０は、対象設定格納領域９２を備える。対象設定格納領域９２は、通話デバイス７０が現在利用すべき無線設定情報を格納するための記憶領域である。多機能機１０と共に通話デバイス７０が出荷されてから、ユーザによって指定設定ＷＳが指定されるまでの間には、制御部８０は、通話デバイス７０の電源がＯＮにされると、初期設定ＷＳ１を対象設定格納領域９２に格納する。これにより、通話デバイス７０は、アドホックの無線設定情報を用いて、無線通信を実行することができる。ユーザによって指定設定ＷＳが指定された後には、通話デバイス７０の電源がＯＮにされると、通常、制御部８０は、指定設定ＷＳを対象設定格納領域９２に格納する。これにより、通話デバイス７０は、インフラストラクチャの無線設定情報を用いて、無線通信を実行することができる。多機能機１０及び通話デバイス７０のそれぞれは、出荷段階において、自身の無線設定として初期設定ＷＳ１が設定されており、相互に通信可能な状態となっている。
【００２９】
即ち、通話デバイス７０は、多機能機１０と同様に、インフラストラクチャモードとアドホックモードの２種類のモードのいずれかのモードで無線通信を実行する。初期設定ＷＳ１が対象設定格納領域９２に格納されている場合、通話デバイス７０は、アドホックモードで無線通信を実行する。指定設定ＷＳ３が対象設定格納領域９２に格納されている場合、多機能機１０は、インフラストラクチャモードで無線通信を実行する。
【００３０】
リセットボタン７９は、ＮＶＲＡＭ８４に格納されている設定情報を出荷段階にリセットするためのボタンである。ユーザによってリセットボタン７９が操作されると、制御部８０は、指定設定格納領域８６に格納されている指定設定ＷＳを消去すると共に、対象設定格納領域９２に格納されている設定情報が初期設定ＷＳ１でない場合に、対象設定格納領域９２に格納されている設定情報を、初期設定ＷＳ１に変更する。即ち、ユーザによってリセットボタン７９が操作されると、通話デバイス７０は、アドホックモードに設定される。
【００３１】
多機能機１０は、通話デバイス７０と協働して処理を実行することによって、多機能機１０が実現可能な複数個の機能（例えばＦＡＸ機能、印刷機能）のうちの特定の機能（例えばＦＡＸ機能）が実現される。従って、通話デバイス７０は、通常、それ単体では出荷されず、多機能機１０と共に出荷される。即ち、通話デバイス７０は、多機能機１０の付属装置である。
【００３２】
（ＦＡＸ機能）
例えば、通話デバイス７０は、ＰＳＴＮインターフェース７６を介してＦＡＸデータを受信する場合に、無線通信を実行することによって、当該ＦＡＸデータを多機能機１０に送信する。多機能機１０は、無線通信を実行することによって、通話デバイス７０から送信されるＦＡＸデータが、無線インターフェース２０で受信される場合に、当該ＦＡＸデータによって表わされる画像の印刷を印刷実行部１６に実行させる。これにより、ＦＡＸの受信動作が実行される。
【００３３】
また、多機能機１０は、スキャン実行部１８が原稿をスキャンすることによって生成されるＦＡＸデータを、無線通信を実行することによって、通話デバイス７０に送信する。通話デバイス７０は、多機能機１０から送信されるＦＡＸデータが、無線インターフェース７８で受信される場合に、ユーザによって予め指定された宛先に向けて、ＰＳＴＮ８を介して当該ＦＡＸデータを送信する。これにより、ＦＡＸの送信動作が実行される。
【００３４】
なお、多機能機１０は、ＰＳＴＮ８を介して受信したＦＡＸデータによって表わされる画像を印刷するための印刷実行部１６を備えているが、通話デバイス７０は、印刷実行部１６を備えていない。また、多機能機１０は、原稿をスキャンして、ＰＳＴＮ８を介して送信されるべきＦＡＸデータを生成するためのスキャン実行部１８を備えているが、通話デバイス７０は、スキャン実行部１８を備えていない。即ち、通話デバイス７０は、多機能機１０に代わってＰＳＴＮ８を介してＦＡＸデータを受信可能であると共に、多機能機１０に代わってＰＳＴＮ８を介してＦＡＸデータを送信可能である。
【００３５】
上述したように、通話デバイス７０は、印刷実行部１６及びスキャン実行部１８を備えていない。従って、通話デバイス７０は、多機能機１０と比べると、小さいサイズを有する。通常、家庭内では、ＰＳＴＮ用ソケットの位置が決められている。仮に、多機能機１０にＰＳＴＮケーブルを接続しなければならない構成を採用すると、ＰＳＴＮ用ソケットの近傍に多機能機１０を配置する必要がある。多機能機１０は、比較的に大きいサイズを有するために、ＰＳＴＮ用ソケットの近傍にスペースが少ない環境では、ＰＳＴＮ用ソケットの近傍に多機能機１０を配置するのが困難である。これに対し、本実施例では、比較的に小さいサイズを有する通話デバイス７０にＰＳＴＮインターフェース７６が設けられている。従って、ＰＳＴＮ用ソケットの近傍にスペースが少ない環境でも、ＰＳＴＮ用ソケットの近傍に通話デバイス７０を容易に配置して、通話デバイス７０をＰＳＴＮ８に接続することができる。さらに、多機能機１０をＰＳＴＮ用ソケットの近傍に限らずに配置することができる。
【００３６】
（多機能機と通話デバイスとが実行する基本処理）
続いて、図２を参照して、多機能機１０と通話デバイス７０とがＡＰ６を介したインフラストラクチャの無線通信を実行するための基本処理を説明する。ユーザは、多機能機１０と通話デバイス７０とを購入すると、多機能機１０と通話デバイス７０とを、例えば、家庭内に配置する。ユーザが多機能機１０を電源ＯＮにすると、多機能機１０は、アドホックモードに設定される。具体的に言うと、制御部３０は、初期設定格納領域３８に格納されている初期設定ＷＳ１を、対象設定格納領域４２に格納させる。同様に、ユーザが通話デバイス７０の電源をＯＮにすると、通話デバイス７０は、アドホックモードに設定される。具体的に言うと、通話デバイス７０の制御部８０は、初期設定格納領域８８に格納されている初期設定ＷＳ１を、対象設定格納領域９２に格納させる。次いで、無線通信部５２は、通話デバイス７０とアドホックの無線通信を実行するために、初期設定ＷＳ１を利用して、通話デバイス７０と、接続確立処理を実行する。
【００３７】
具体的には、無線通信部５２は、対象設定格納領域４２に格納されている初期設定ＷＳ１を含む接続要求を、通話デバイス７０に送信する。通話デバイス７０の制御部８０は、多機能機１０から接続要求が受信されると、接続要求に基づいて認証を実行する。この認証は、接続要求に含まれる認証方式及び暗号化方式が、対象設定格納領域９２に記憶されている初期設定ＷＳ１に含まれる認証方式及び暗号化方式と一致するのか否かに関する判断を含む。なお、初期設定ＷＳ１は、多機能機１０と通話デバイス７０との両者に予め記憶されているものであるため、通常、上記の認証は成功する。通話デバイス７０は、認証成功を示す認証結果を多機能機１０に送信する。接続確立処理は、接続要求の送信と、認証と、認証結果の送信と、を含む。無線通信部５２は、通話デバイス７０から、認証結果を受信することを監視している。通話デバイス７０から認証結果が受信されると、多機能機１０と通話デバイス７０とは、アドホックの無線通信を実行可能となる。
【００３８】
この状況では、通話デバイス７０の制御部８０は、ＰＳＴＮ８を介して、外部装置（例えばＦＡＸ装置４）からＦＡＸデータを受信した場合、ＦＡＸデータを、アドホックの無線通信を実行して、多機能機１０に送信する。多機能機１０の制御部３０は、ユーザによる操作部１２の操作によってＦＡＸ送信指示が実行されると、スキャン実行部１８にセットされた原稿を読み取って、ＦＡＸデータを生成する。次いで、アドホックの無線通信を利用して（即ち初期設定ＷＳ１を利用して）、生成されたＦＡＸデータを、通話デバイス７０に送信する。通話デバイス７０の制御部８０は、ＰＳＴＮ８を介して、ＦＡＸデータを特定のデバイス（例えばＦＡＸ装置４）に送信する。
【００３９】
続いて、多機能機１０は、ユーザによって指定設定ＷＳ２が指定されると、ＡＰ６を介して、通話デバイス７０と、インフラストラクチャの無線通信を実行するための処理を実行する。即ち、無線通信部５２は、多機能機１０を、アドホックモードからインフラストラクチャモードに切り替える。具体的には、無線通信部５２は、指定設定ＷＳ２が指定設定格納領域３６に格納されると、対象設定格納領域４２に格納されている初期設定ＷＳ１を消去して、指定設定ＷＳ２を対象設定格納領域４２に格納する。次いで、無線通信部５２は、ＡＰ６と無線通信を実行するために、指定設定ＷＳ２を利用して、ＡＰ６と接続確立処理を実行する。即ち、無線通信部５２は、指定設定ＷＳ２を含む接続要求を、ＡＰ６に送信する。ＡＰ６は、接続要求を受信すると、接続要求に基づいて認証を実行する。この認証は、例えば、指定設定ＷＳ２に含まれる認証方式及び暗号化方式をＡＰ６がサポートしているのか否かに関する認証、指定設定ＷＳ２に含まれるパスワードがＡＰ６に登録されているのか否かに関する認証等を含む。ＡＰ６は、認証結果を多機能機１０に送信する。
【００４０】
無線通信部５２は、ＡＰ６から、認証結果を受信することを監視している。ＡＰ６から認証成功を示す認証結果が受信されると、多機能機１０とＡＰ６とは、無線接続が確立された状態となり、無線通信を実行可能となる。次いで、無線通信部５２は、多機能機１０を、インフラストラクチャモードからアドホックモードに切り替える。具体的には、無線通信部５２は、対象設定格納領域４２に格納されている指定設定ＷＳ２を消去して、初期領域ＷＳ１を対象設定格納領域４２に格納する。
【００４１】
次いで、無線通信部５２は、初期設定ＷＳ１を利用したアドホックの無線通信を実行して、指定設定格納領域３６に格納されている指定設定ＷＳ２を、通話デバイス７０に送信する。
【００４２】
制御部８０は、多機能機１０から指定設定ＷＳ２が受信されると、受信された指定設定ＷＳ２を、指定設定格納領域８６に格納させる。次いで、制御部８０は、対象設定格納領域９２から初期設定ＷＳ１を消去し、指定設定ＷＳ２を対象設定格納領域９２に格納する。これにより、通話デバイス７０は、アドホックモードからインフラストラクチャモードに切り替わる。次いで、制御部８０は、指定設定ＷＳ２を利用して、ＡＰ６と、接続確立処理を実行する。即ち、制御部８０は、指定設定ＷＳ２を含む接続要求を、ＡＰ６に送信する。ＡＰ６は、通話デバイス７０から接続要求を受信すると、接続要求に基づいて認証を実行する。この認証は、ＡＰ６が、多機能機１０から接続要求を受信する場合に実行する認証と同様である。ＡＰ６は、認証結果を多機能機１０に送信する。
【００４３】
制御部８０は、ＡＰ６から、認証結果を受信することを監視している。ＡＰ６から認証成功を示す認証結果が受信されると、通話デバイス７０とＡＰ６とは、無線接続が確立された状態となり、無線通信を実行可能となる。
【００４４】
設定変更部５６は、初期設定ＷＳ１を利用して、指定設定ＷＳ２を、通話デバイス７０に送信すると、無線通信部５２は、多機能機１０を、アドホックモードからインフラストラクチャモードに切り替える。次いで、図示省略するが、無線通信部５２は、ＡＰ６と無線通信を実行するために、指定設定ＷＳ２を利用して、ＡＰ６と接続確立処理を実行する。
【００４５】
この結果、制御部８０は、ＰＳＴＮ８を介してＦＡＸデータを受信すると、ＡＰ６を介して（即ち指定設定ＷＳ２を利用して）、ＦＡＸデータを、多機能機１０に送信する。また、無線通信部５２は、ユーザによる操作部１２の操作によってＦＡＸ送信指示が実行されると、スキャン実行部１８にセットされた原稿を読み取って、ＦＡＸデータを生成する。次いで、ＡＰ６を介して（即ちインフラストラクチャの無線通信を利用して）、生成されたＦＡＸデータを、通話デバイス７０に送信する。通話デバイス７０の制御部８０は、ＰＳＴＮ８を介して、ＦＡＸデータを特定のデバイス（例えばＦＡＸ装置４）に送信する。
【００４６】
判断部５４は、対象設定格納領域４２に指定設定ＷＳ２が格納されている場合、即ち、多機能機１０がインフラストラクチャモードである場合、多機能機１０と通話デバイス７０とが、インフラストラクチャの無線通信（即ち指定設定ＷＳ２を利用した無線通信）を実行可能であるのか否かを判断する。具体的には、判断部５４は、図示省略したＤＮＳ（Domain Name Serverの略）から、通話デバイス７０のＩＰアドレスを取得する。次いで、判断部５４は、取得されたＩＰアドレスを送信先に指定して、ＰＩＮＧ（Packet Internet Groperの略）を送信する。ＰＩＮＧは、多機能機１０のＩＰアドレスを含む。なお、インフラストラクチャモードでは、多機能機１０と通話デバイス７０とは、図示省略したＤＨＣＰ（Dynamic Host Configuration Protocolの略）サーバから、ＩＰアドレスが付与される。
【００４７】
通話デバイス７０の制御部８０は、ＰＩＮＧを受信すると、ＰＩＮＧに含まれる多機能機１０のＩＰアドレスを送信先に指定して、ＰＩＮＧに対してＯＫを示すパケットを送信する。判断部５４は、通話デバイス７０からＯＫを示すパケットを受信すると、通話デバイス７０と、インフラストラクチャの無線通信を実行可能であると判断する。一方、判断部５４は、ＰＩＮＧを送信してから第１の期間（例えば１０秒間）が経過しても、通話デバイス７０からＯＫを示すパケットを受信されない場合、通話デバイス７０と、インフラストラクチャの無線通信を実行可能でないと判断する。
【００４８】
なお、判断部５４は、多機能機１０がアドホックモードである場合、多機能機１０と通話デバイス７０とが、アドホックの無線通信（即ち初期設定ＷＳ１を利用した無線通信）を実行可能であるのか否かを判断する。具体的には、判断部５４は、予め初期設定格納領域３８に格納されている通話デバイス７０の初期ＩＰアドレスを送信先に指定して、ＰＩＮＧを送信する。ＰＩＮＧは、予め初期設定格納領域３８に格納されている多機能機１０のＩＰアドレスを含む。
【００４９】
制御部８０は、ＰＩＮＧを受信すると、ＰＩＮＧに含まれる多機能機１０のＩＰアドレスを送信先に指定して、ＰＩＮＧに対してＯＫを示すパケットを送信する。判断部５４は、通話デバイス７０からＯＫを示すパケットを受信すると、通話デバイス７０と、アドホックの無線通信を実行可能であると判断する。一方、判断部５４は、ＰＩＮＧを送信してから第１の期間（例えば１０秒間）が経過しても、通話デバイス７０からＯＫを示すパケットを受信されない場合、通話デバイス７０と、アドホックの無線通信を実行可能でないと判断する。
【００５０】
ユーザが多機能機１０に指定設定ＷＳ２を指定すると、多機能機１０は、通話デバイス７０と、インフラストラクチャの無線通信を実行するための処理を実行する。この結果、多機能機１０は、ＡＰ６を介して、通話デバイス７０と無線通信を実行可能となる。
【００５１】
（多機能機が実行する通信状態判断処理）
次いで、図３を参照して、多機能機１０の制御部３０が実行する通信状態判断処理を説明する。制御部３０は、対象設定格納領域４２に、指定設定ＷＳ（以下では指定設定ＷＳ２）が格納されている（即ち多機能機１０が現在利用すべき設定情報が指定設定ＷＳ２である）場合、通信状態判断処理を繰り返し実行する。
【００５２】
まず、Ｓ２において、判断部５４は、指定設定ＷＳ２を利用して、通話デバイス７０にＰＩＮＧを送信する。Ｓ４では、判断部５４は、通話デバイス７０からＰＩＮＧに対する応答（即ちＯＫを示すパケット）を受信することを監視する。判断部５４は、ＰＩＮＧを送信してから第１の期間が経過する前に、通話デバイス７０から応答を受信する（Ｓ４でＹＥＳ）と、指定設定ＷＳ２を利用して、通話デバイス７０と無線通信を実行可能であると判断して、Ｓ２に戻る。通常では、多機能機１０がインフラストラクチャモードに設定されている場合、多機能機１０は、通話デバイス７０とインフラストラクチャの無線通信を実行可能である。このため、通常では、Ｓ４でＹＥＳと判断される。
【００５３】
判断部５４は、ＰＩＮＧを送信してから第１の期間が経過しても、通話デバイス７０から応答を受信しない（Ｓ４でＮＯ）と、指定設定ＷＳ２を利用して、通話デバイス７０と無線通信を実行可能でないと判断して、Ｓ６に進む。
【００５４】
Ｓ６では、出力制御部６０は、多機能機１０が、指定設定ＷＳ２を利用して、通話デバイス７０との無線通信を実行可能でないことを示す情報を、表示部１４に表示させる。出力制御部６０は、さらに、ユーザが操作部１２に所定のＯＫ操作（例えば操作部１２の「ＯＫボタン」の操作）を実行することを促す操作情報を、表示部１４に表示させる。Ｓ８では、制御部３０は、ユーザがＯＫ操作を実行することを監視する。操作情報が表示部１４に表示されてから、第２の期間（例えば１分間）の経過前に、ユーザによってＯＫ操作が実行される場合（Ｓ８でＹＥＳ）、Ｓ１０において、出力制御部６０は、文字列「通話デバイスをリセットして下さい」を、表示部１４に表示させて、Ｓ１２に進む。操作情報が表示部１４に表示されてから、第２の期間が経過しても、ユーザによって所定の操作が実行されない場合（Ｓ８でＮＯ）、Ｓ１０をスキップして、Ｓ１２に進む。
【００５５】
Ｓ１２では、無線通信部５２は、初期設定ＷＳ１に含まれるＳＳＩＤ「ＡＡＡＹＹＹ」を含むＰｒｏｂｅ  Ｒｅｑｕｅｓｔを、ブロードキャストで送信する。通話デバイス７０の対象設定格納領域９２に初期設定ＷＳ１が格納されている状態では、制御部８０は、ＳＳＩＤ「ＡＡＡＹＹＹ」を含むＰｒｏｂｅ  Ｒｅｑｕｅｓｔを受信すると、Ｐｒｏｂｅ  Ｒｅｑｕｅｓｔの応答として、ＳＳＩＤ「ＡＡＡＹＹＹ」を含むＰｒｏｂｅ  Ｒｅｓｐｏｎｓｅを、多機能機１０に送信する。一方、通話デバイス７０の対象設定格納領域９２に初期設定ＷＳ１が格納されていない状態では、制御部８０は、ＳＳＩＤ「ＡＡＡＹＹＹ」を含むＰｒｏｂｅ  Ｒｅｑｕｅｓｔを受信しても、Ｐｒｏｂｅ  Ｒｅｓｐｏｎｓｅを送信しない。
【００５６】
Ｓ１４において、無線通信部５２は、ＳＳＩＤ「ＡＡＡＹＹＹ」を含むＰｒｏｂｅ  Ｒｅｓｐｏｎｓｅを受信することを監視している。Ｐｒｏｂｅ  Ｒｅｑｕｅｓｔを送信してから第３の期間（例えば１０秒）が経過する前に、ＳＳＩＤ「ＡＡＡＹＹＹ」を含むＰｒｏｂｅ  Ｒｅｓｐｏｎｓｅが受信される場合（Ｓ１４でＹＥＳ）、通話デバイス７０が初期設定ＷＳ１を利用して、無線通信を実行可能な状態である。このため、多機能機１０は、初期設定ＷＳ１を利用して、通話デバイス７０と無線通信を実行可能である可能性が高い。この場合、Ｓ１６において、設定変更部５６は、多機能機１０が現在利用すべき設定情報を、指定設定ＷＳ２から初期設定ＷＳ１に変更することによって、多機能機１０をインフラストラクチャモードからアドホックモードに変更する。具体的には、設定変更部５６は、対象設定格納領域４２に格納されている指定設定ＷＳ２を消去して、初期設定ＷＳ１を対象設定格納領域４２に格納する。なお、Ｓ１６では、無線通信部５２は、初期設定ＷＳ１を利用して、通話デバイス７０と接続確立処理を実行することによって、通話デバイス７０と無線通信を実行可能な状態とする。
【００５７】
一方、Ｐｒｏｂｅ  Ｒｅｑｕｅｓｔを送信してから第３の期間が経過しても、Ｐｒｏｂｅ  Ｒｅｓｐｏｎｓｅが受信されない場合（Ｓ１４でＮＯ）の場合、通話デバイス７０が初期設定ＷＳ１を利用して、無線通信を実行可能な状態でない可能性が高い。このため、多機能機１０は、初期設定ＷＳ１を利用して、通話デバイス７０と無線通信を実行可能である可能性が低い。この場合、Ｓ６に戻る。この結果、指定設定ＷＳ２は、対象設定格納領域４２に維持される。即ち、多機能機１０が現在利用すべき設定情報が、指定設定ＷＳ２に維持される。
【００５８】
Ｓ１６の処理が終了すると、Ｓ１８では、無線通信部５２は、初期設定ＷＳ１を利用して、通話デバイス７０にＰＩＮＧを送信する。Ｓ２０では、判断部５４は、ＰＩＮＧを送信してから第１の期間が経過しても、通話デバイス７０から応答を受信しない（Ｓ２０でＮＯ）場合、通話デバイス７０と、アドホックの無線通信を実行可能でないと判断して、Ｓ６に戻る。一方、判断部５４は、ＰＩＮＧを送信してから第１の期間が経過する前に、通話デバイス７０から応答を受信する（Ｓ２０でＹＥＳ）場合、通話デバイス７０と、アドホックの無線通信を実行可能であると判断して、Ｓ２１に進む。Ｓ２１では、無線通信部５２は、ＮＶＲＡＭ３４に格納されているリトライ回数を初期化（即ち「０」）する。次いで、Ｓ２２では、無線通信部５２は、指定設定格納領域３６に格納されている指定設定（例えば指定設定ＷＳ２）に含まれている特定のＳＳＩＤ（例えばＳＳＩＤ「ＭＭＭ」）を含むＰｒｏｂｅ  Ｒｅｑｕｅｓｔを、ブロードキャストで送信する。
【００５９】
特定のＳＳＩＤ（例えばＳＳＩＤ「ＭＭＭ」）で識別されるネットワークのＡＰ（例えばＡＰ６）は、特定のＳＳＩＤを含むＰｒｏｂｅ  Ｒｅｑｕｅｓｔを受信すると、Ｐｒｏｂｅ  Ｒｅｑｕｅｓｔの応答として、特定のＳＳＩＤを含むＰｒｏｂｅ  Ｒｅｓｐｏｎｓｅを、多機能機１０に送信する。
【００６０】
Ｓ２４において、無線通信部５２は、特定のＳＳＩＤを含むＰｒｏｂｅ  Ｒｅｓｐｏｎｓｅを受信することを監視している。Ｐｒｏｂｅ  Ｒｅｑｕｅｓｔを送信してから第３の期間が経過する前に、特定のＳＳＩＤを含むＰｒｏｂｅ  Ｒｅｓｐｏｎｓｅが受信される場合（Ｓ２４でＹＥＳ）の場合、Ｓ２６において、無線通信部５２は、指定設定格納領域３６に格納されている指定設定ＷＳ２を、通話デバイス７０に送信する。次いで、Ｓ２８では、設定変更部５６は、多機能機１０が現在利用すべき設定情報を、初期設定ＷＳ１から、指定設定格納領域３６に格納されている指定設定ＷＳ２に変更することによって、多機能機１０をアドホックモードからインフラストラクチャモードに変更する。具体的には、設定変更部５６は、対象設定格納領域４２に格納されている初期設定ＷＳ１を消去して、指定設定格納領域３６に格納されている指定設定ＷＳ２を対象設定格納領域４２に格納して、Ｓ２に戻る。
【００６１】
一方において、Ｐｒｏｂｅ  Ｒｅｑｕｅｓｔを送信してから第３の期間が経過しても、Ｐｒｏｂｅ  Ｒｅｓｐｏｎｓｅが受信されない場合（Ｓ２４でＮＯ）、Ｓ３１において、無線通信部５２は、ＮＶＲＡＭ３４に格納されているリトライ回数に１を加算する。次いで、Ｓ３２では、無線通信部５２は、リトライ回数が、所定の回数（例えば５回）より少ないのか否かを判断する。リトライ回数が、所定の回数より少ないである場合（Ｓ３２でＹＥＳ）、Ｓ２２に戻る。一方、リトライ回数が、所定の回数以上の場合（Ｓ３２でＮＯ）、Ｓ３４において、消去部６２は、指定設定格納領域３６に格納されている指定設定ＷＳ２を消去して、通信状況判断処理を終了する。なお、制御部３０は、多機能機１０がインフラストラクチャモードに設定されると、通信状況判断処理を再開する。
【００６２】
（通話デバイスが実行する通信処理）
次いで、図４を参照して、通話デバイス７０が実行する通信処理について説明する。通話デバイス７０の制御部８０は、通話デバイス７０が電源ＯＮにされると、通信処理を実行する。Ｓ４０では、制御部８０は、多機能機１０からＰＩＮＧを受信するのか否かを判断する。ＰＩＮＧが受信される（Ｓ４０でＹＥＳ）場合、Ｓ４１において、制御部８０は、ＰＩＮＧに対する応答として、ＯＫを示すパケットを、多機能機１０に送信して、Ｓ４２に進む。制御部８０は、対象設定格納領域９２に、初期設定ＷＳ１が格納されている場合、初期設定ＷＳ１を利用して（即ちアドホックの無線通信を実行して）、ＯＫを示すパケットを、多機能機１０に送信する。一方、制御部８０は、対象設定格納領域９２に、指定設定ＷＳ（例えば指定設定ＷＳ２）が格納されている場合、対象設定格納領域９２に格納されている指定設定ＷＳを利用して（即ちインフラストラクチャの無線通信を実行して）、ＯＫを示すパケットを、多機能機１０に送信する。
【００６３】
ＰＩＮＧが受信されない（Ｓ４０でＮＯ）場合、Ｓ４１をスキップして、Ｓ４２に進む。Ｓ４２では、制御部８０は、対象設定格納領域９２に格納されているＳＳＩＤ（例えばＳＳＩＤ「ＡＡＡＹＹＹ」）を含むＰｒｏｂｅ  Ｒｅｑｕｅｓｔを受信するのか否かを判断する。Ｐｒｏｂｅ  Ｒｅｑｕｅｓｔが受信される場合（Ｓ４２でＹＥＳ）、Ｓ４３において、制御部８０は、Ｐｒｏｂｅ  Ｒｅｑｕｅｓｔに対する応答として、Ｐｒｏｂｅ  Ｒｅｓｐｏｎｓｅを送信して、Ｓ４４に進む。Ｐｒｏｂｅ  Ｒｅｑｕｅｓｔは、対象設定格納領域９２に格納されている設定情報に含まれるＳＳＩＤを含む。Ｐｒｏｂｅ  Ｒｅｑｕｅｓｔが受信されない場合（Ｓ４２でＮＯ）、Ｓ４３をスキップして、Ｓ４４に進む。
【００６４】
Ｓ４４では、制御部８０は、多機能機１０から接続要求を受信するのか否かを判断する。接続要求が受信される場合（Ｓ４４でＹＥＳ）、Ｓ４５において、制御部８０は、接続要求に含まれる初期設定ＷＳ１を利用して、認証を実行する。次いで、Ｓ４５では、制御部８０は、認証結果を多機能機１０に送信して、Ｓ４６に進む。接続要求が受信されない場合（Ｓ４４でＮＯ）、Ｓ４５をスキップして、Ｓ４６に進む。
【００６５】
Ｓ４６では、制御部８０は、多機能機１０から指定設定ＷＳ（例えば指定設定ＷＳ２）を受信するのか否かを判断する。指定設定ＷＳが受信される場合（Ｓ４６でＹＥＳ）、Ｓ４７において、制御部８０は、指定設定ＷＳを、指定設定格納領域８６に格納する。次いで、制御部８０は、指定設定ＷＳを利用して、外部装置（例えばＡＰ６）と接続確立処理（接続要求の送信及び認証結果の受信を含む）を実行する。
【００６６】
Ｓ４８では、制御部８０は、多機能機１０からＦＡＸデータを受信するのか否かを判断する。多機能機１０からＦＡＸデータが受信される場合（Ｓ４８でＹＥＳ）、Ｓ４９において、制御部８０は、ＦＡＸデータに含まれる送信先のＦＡＸ番号を送信先に指定して、ＦＡＸデータを送信して、Ｓ５０に進む。ＦＡＸデータは、ＰＳＴＮ８を介して、外部装置（例えばＦＡＸ装置４）に送信される。一方、多機能機１０からＦＡＸデータが受信されない場合（Ｓ４８でＮＯ）、Ｓ４９をスキップして、Ｓ５０に進む。
【００６７】
Ｓ５０では、制御部８０は、ＰＳＴＮ８を介して外部装置（例えばＦＡＸ装置４）から、ＦＡＸデータを受信するのか否かを判断する。ＰＳＴＮ８を介してＦＡＸデータが受信される場合（Ｓ５０でＹＥＳ）に、Ｓ５１において、制御部８０は、ＦＡＸデータを多機能機１０に送信して、Ｓ５２に進む。一方、ＰＳＴＮ８を介してＦＡＸデータが受信されない場合（Ｓ５０でＮＯ）に、Ｓ５１をスキップして、Ｓ５２に進む。
【００６８】
Ｓ５２では、制御部８０は、ユーザによって、リセットボタン７９が操作されたのか否かを判断する。リセットボタン７９が操作された場合（Ｓ５２でＹＥＳ）、Ｓ５４において、制御部８０は、通話デバイス７０をアドホックモードに設定して、Ｓ４０に戻る。具体的には、制御部８０は、対象設定格納領域９２に現在格納されている指定設定（例えば指定設定ＷＳ２）を消去して、初期設定ＷＳ１を、対象設定格納領域９２に格納する。リセットボタン７９が操作されていない場合（Ｓ５２でＮＯ）、Ｓ５４をスキップして、Ｓ４０に戻る。
【００６９】
（第１ケース：通話デバイスがリセットされたケース）
次いで、第１から第５ケースにおける各機器１０，６，７０等の処理について説明する。図５に示すように、第１ケースでは、多機能機１０と通話デバイス７０とは、インフラストラクチャモードに設定されている。第１ケースでは、多機能機１０と通話デバイス７０とは、指定設定ＷＳ２を利用して、ＡＰ６を介した無線通信を実行可能である。このケースでは、多機能機１０が、通話デバイス７０のＩＰアドレスを送信先に指定して、ＰＩＮＧを送信する場合（図３のＳ２）、ＰＩＮＧは、ＡＰ６を介して、通話デバイス７０に送信される。通話デバイス７０は、ＰＩＮＧを受信すると（図４のＳ４０でＹＥＳ）、ＯＫを示すパケットを送信する（図４のＳ４１）。
【００７０】
例えば、多機能機１０とＡＰ６との間の接続不良、通話デバイス７０とＡＰ６との間の接続不良の場合、多機能機１０は、ＰＩＮＧに対する応答を受信できない（図３のＳ４でＮＯ）。多機能機１０は、指定設定Ｗ２を利用して、通話デバイス７０と無線通信を実行可能でないと判断する（図３のＳ４でＮＯ）。この場合、ユーザが多機能機１０に所定の操作を実行することによって（図３のＳ８でＹＥＳ）、多機能機１０は、文字列「通話デバイスをリセットして下さい」を、表示部１４に表示する（図３のＳ１０）。
【００７１】
ユーザが、通話デバイス７０のリセットボタン７９を操作すると、通話デバイス７０の対象設定格納領域９２に、初期設定ＷＳ１が格納される（図４のＳ５４）。これにより、通話デバイス７０は、アドホックモードに設定される。
【００７２】
多機能機１０は、初期設定ＷＳ１に含まれるＳＳＩＤ「ＡＡＡＹＹＹ」を含むＰｒｏｂｅ  Ｒｅｑｕｅｓｔを、ブロードキャストで送信する（図３のＳ１２）。通話デバイス７０は、ＳＳＩＤ「ＡＡＡＹＹＹ」を含むＰｒｏｂｅ  Ｒｅｑｕｅｓｔを受信する（図４のＳ３２でＹＥＳ）と、対象設定格納領域９２に格納されている初期設定ＷＳ１のＳＳＩＤ「ＡＡＡＹＹＹ」と同一であると判断する。通話デバイス７０は、Ｐｒｏｂｅ  Ｒｅｑｕｅｓｔの応答として、ＳＳＩＤ「ＡＡＡＹＹＹ」を含むＰｒｏｂｅ  Ｒｅｓｐｏｎｓｅを、多機能機１０に送信する（図４のＳ４３）。
【００７３】
多機能機１０は、ＳＳＩＤ「ＡＡＡＹＹＹ」を含むＰｒｏｂｅ  Ｒｅｓｐｏｎｓｅを受信する（図３のＳ１４でＹＥＳ）。この場合、通話デバイス７０は、初期設定ＷＳ１を利用して、無線通信を実行可能である。このため、多機能機１０は、初期設定ＷＳ１を利用して、通話デバイス７０と無線通信を実行可能である可能性が高い。従って、多機能機１０は、現在利用すべき設定情報を指定設定ＷＳ２から初期設定ＷＳ１に変更する（図３のＳ１６）。次いで、多機能機１０は、初期設定ＷＳ１を利用して、通話デバイス７０と接続確立処理を実行する。
【００７４】
多機能機１０は、通話デバイス７０から認証成功を示す認証結果が受信されると、初期設定ＷＳ１を利用して、ＰＩＮＧを送信する（図３のＳ１８）。通話デバイス７０は、ＰＩＮＧを受信する（図４のＳ４０）と、多機能機１０にＯＫを示すパケットを送信する（図４のＳ４１）。次いで、多機能機１０は、指定設定格納領域３６に格納されている指定設定ＷＳ２に含まれるＡＰ６のＳＳＩＤ「ＭＭＭ」を含むＰｒｏｂｅ  Ｒｅｑｕｅｓｔを、ブロードキャストで送信する（図３のＳ２２）。
【００７５】
ＡＰ６は、ＳＳＩＤ「ＭＭＭ」を含むＰｒｏｂｅ  Ｒｅｑｕｅｓｔを受信すると、当該Ｐｒｏｂｅ  Ｒｅｑｕｅｓｔの応答として、ＳＳＩＤ「ＭＭＭ」を含むＰｒｏｂｅ  Ｒｅｓｐｏｎｓｅを、多機能機１０に送信する。多機能機１０は、ＳＳＩＤ「ＭＭＭ」を含むＰｒｏｂｅ  Ｒｅｓｐｏｎｓｅを受信する（図３のＳ２４でＹＥＳ）と、ＡＰ６を介して、通話デバイス７０と、インフラストラクチャの無線通信を実行可能であると判断する。そして、多機能機１０は、初期設定ＷＳ１を利用して、指定設定ＷＳ２を、通話デバイス７０に送信する（図３のＳ２６）。そして、多機能機１０は、多機能機１０をインフラストラクチャモードに設定する（図３のＳ２８）。
【００７６】
通話デバイス７０は、指定設定ＷＳ２を受信すると、指定設定格納領域８６に、指定設定ＷＳ２を格納する。次いで、通話デバイス７０は、通話デバイス７０を、インフラストラクチャモードに設定する。
【００７７】
多機能機１０と通話デバイス７０とのそれぞれは、ＡＰ６と無線通信を実行するために、指定設定ＷＳ２を利用して、ＡＰ６と接続確立処理を実行する。上述のように、通話デバイス７０と多機能機１０とが、インフラストラクチャの無線通信を実行不可能になった場合に、通話デバイス７０のリセットボタン７９の操作がなされる（図４のＳ５２）と、通話デバイス７０の対象設定格納領域９２に初期設定ＷＳ１が格納される（図４のＳ５４）。これにより、多機能機１０は、ＳＳＩＤ「ＡＡＡＹＹＹ」を含むＰｒｏｂｅ  Ｒｅｓｐｏｎｓｅを受信可能となる。多機能機１０は、ＳＳＩＤ「ＡＡＡＹＹＹ」を含むＰｒｏｂｅ  Ｒｅｓｐｏｎｓｅを受信する場合（図３のＳ１４でＹＥＳ）、現在利用すべき設定情報を指定設定ＷＳ２から初期設定ＷＳ１に変更する（図３のＳ１６）。この結果、多機能１０と通話デバイス７０との双方が、現在利用すべき設定情報を、初期設定ＷＳ１に設定することができる。この構成によれば、多機能機１０は、初期設定ＷＳ１を利用して、通話デバイス７０に、指定設定ＷＳ２を適切に送信することができる。これにより、多機能機１０と通話デバイス７０とが、指定設定ＷＳ２を利用して、無線通信を実行することができる。即ち、通話デバイス７０と多機能機１０とが、インフラストラクチャの無線通信を実行不可能になった場合に、再度、通話デバイス７０と多機能機１０とが、インフラストラクチャの無線通信を実行可能となる。
【００７８】
（第２ケース：通話デバイスがリセットされなかったケース）
第２ケースでは、多機能機１０が、図３のＳ１０の処理を実行するまでは、第１ケースと同一である。しかしながら、ユーザは、通話デバイス７０のリセットボタン７９を操作しない。即ち、通話デバイス７０の対象設定格納領域９２は、指定設定ＷＳ２が格納されている状態である。この状況では、多機能機１０は、初期設定ＷＳ１に含まれるＳＳＩＤ「ＡＡＡＹＹＹ」を含むＰｒｏｂｅ  Ｒｅｑｕｅｓｔを、ブロードキャストで送信しても（図３のＳ１２）、通話デバイス７０は、ＳＳＩＤ「ＡＡＡＹＹＹ」を含むＰｒｏｂｅ  Ｒｅｓｐｏｎｓｅを、多機能機１０に送信できない（図３のＳ４２のＮＯ）。この状況では、多機能機１０は、現在利用すべき設定情報を指定設定ＷＳ２から初期設定ＷＳ１に変更したとしても、通話デバイス７０と、初期設定ＷＳ１を利用して無線通信を実行することはできない。即ち、多機能機１０は、初期設定ＷＳ１を利用して無線通信を実行したとしても、通話デバイス７０に指定設定（例えばＷＳ２）を送信することはできない。この場合、多機能機１０は、対象設定格納領域９２に指定設定ＷＳ２が格納された状態を維持する。即ち、多機能機１０は、インフラストラクチャモードに維持される。
【００７９】
第２ケースでは、多機能機１０は、インフラストラクチャモードに維持されるため、多機能機１０がＡＰ６を介した無線通信を実行可能な状態を維持することができる。例えば、多機能機１０は、ＰＣ９から印刷データを、ＡＰ６を介して受信することができる。また、多機能機１０は、スキャン実行部１８によって生成されたスキャンデータを、ＡＰ６を介してＰＣ９に送信することができる。
【００８０】
（第３ケース：通話デバイスが無線通信不可能な状態になったケース）
第３ケースは、例えば、通話デバイス７０が電源ＯＮから電源ＯＦＦに切り替えられた場合、あるいは、通話デバイス７０が故障した場合に、多機能機１０と通話デバイス０７とが、無線通信を実行できなくなったケースである。
【００８１】
第３ケースでは、多機能機１０が、図３のＳ１０の処理を実行するまでは、第１ケースと同一である。しかしながら、第３ケースでは、通話デバイス７０は、無線通信を実行可能な状態でない。この結果、多機能機１０は、初期設定ＷＳ１に含まれるＳＳＩＤ「ＡＡＡＹＹＹ」を含むＰｒｏｂｅ  Ｒｅｑｕｅｓｔを、ブロードキャストで送信しても（図３のＳ１２）、通話デバイス７０からＳＳＩＤ「ＡＡＡＹＹＹ」を含むＰｒｏｂｅ  Ｒｅｓｐｏｎｓｅを、受信できない。この場合、多機能機１０は、対象設定格納領域４２に指定設定ＷＳ２が格納された状態を維持する。即ち、多機能機１０は、インフラストラクチャモードに維持される。
【００８２】
第３ケースでは、第２ケースと同様に、多機能機１０は、インフラストラクチャモードに維持されるため、ＡＰ６を介した無線通信を維持することができる。例えば、多機能機１０は、ＰＣ９からＡＰ６を介して印刷データを受信することができる。また、多機能機１０は、スキャン実行部１８によって生成されたスキャンデータを、ＡＰ６を介してＰＣ９に送信することができる。
【００８３】
（第４ケース：ＡＰが変更されたケース）
第４ケースは、ＡＰ６が、ＡＰ１１に変更されたために、多機能機１０が、指定設定ＷＳ２を利用して、通話デバイス７０と無線通信を実行できなくなったケースである。
【００８４】
第４ケースでは、第１〜第３ケースと同様に、多機能機１０は、ＰＩＮＧに対する応答を、通話デバイス７０から受信している（図３のＳ４でＹＥＳ、図４のＳ４１）。しかしながら、ＡＰ６が廃止され、新たにＡＰ１１が設定されると、多機能機１０は、指定設定ＷＳ２を利用して、通話デバイス７０に、ＰＩＮＧを送信することができなくなる。
【００８５】
この場合、多機能機１０は、文字列「通話デバイスをリセットして下さい」を、表示部１４に表示する（図３のＳ１０）。ユーザが、通話デバイス７０のリセットボタン７９を操作すると、通話デバイス７０の対象設定格納領域９２に、初期設定ＷＳ１が格納される（図４のＳ５４）。これにより、通話デバイス７０は、アドホックモードに設定される。この結果、第１ケースと同様に、多機能機１０は、ＳＳＩＤ「ＡＡＡＹＹＹ」を含むＰｒｏｂｅ  Ｒｅｑｕｅｓｔの応答として、ＳＳＩＤ「ＡＡＡＹＹＹ」を含むＰｒｏｂｅ  Ｒｅｓｐｏｎｓｅを、通話デバイス７０から受信する（図３のＳ１４でＹＥＳ）。
【００８６】
第１ケースと同様に、多機能機１０は、インフラストラクチャモードからアドホックモードに変更される（図３のＳ１６）と、多機能機１０と通話デバイス７０とは、対象設定格納領域４２に格納されている初期設定ＷＳ１を利用して、アドホックの無線通信を実行することができる。次いで、多機能機１０は、初期設定ＷＳ１を利用して、ＰＩＮＧを送信する（図３のＳ１８）。通話デバイス７０は、ＰＩＮＧを受信する（図４のＳ４０）と、多機能機１０にＯＫを示すパケットを送信する（図４のＳ４１）。
【００８７】
多機能機１０は、指定設定ＷＳ２に含まれるＡＰ６のＳＳＩＤ「ＭＭＭ」を含むＰｒｏｂｅ  Ｒｅｑｕｅｓｔを、ブロードキャストで送信する（図３のＳ２２）。ＡＰ６は、既に廃止されているため、多機能機１０は、Ｐｒｏｂｅ  Ｒｅｓｐｏｎｓｅを受信することができない（図３のＳ２４でＮＯ）。多機能機１０は、所定の回数だけＳＳＩＤ「ＭＭＭ」を含むＰｒｏｂｅ  Ｒｅｑｕｅｓｔを送信しても、Ｐｒｏｂｅ  Ｒｅｓｐｏｎｓｅを受信することができない（図３のＳ３２でＮＯ）ため、指定設定格納領域３６に格納されている指定設定ＷＳ２を消去する（図３のＳ３４）。この構成によれば、無線通信を実行するために利用できなくなった指定設定ＷＳ２を、適切に消去することができる。この結果、ＮＶＲＡＭ３４内に不要な情報が格納され続けるのを抑制することができる。
【００８８】
ユーザは、操作部１２を操作することによって、ＡＰ１１の指定設定ＷＳ３を、多機能機１０に指定することができる。多機能機１０は、ユーザによって、指定された指定設定ＷＳ３を、指定設定格納領域３６に格納すると共に、対象設定格納領域４２にも格納する。次いで、多機能機１０は、指定設定ＷＳ３を利用して、ＡＰ６と接続確立処理を実行する。
【００８９】
多機能機１０は、対象設定格納領域４２に格納されている指定設定ＷＳ３を消去して、初期設定ＷＳ１を対象設定格納領域４２に格納する。このため、多機能機１０は、インフラストラクチャモードからアドホックモードに変更される。次いで、多機能機１０は、初期設定ＷＳ１を利用して、指定設定格納領域３６に格納されている指定設定ＷＳ３を、通話デバイス７０に送信する。多機能機１０は、対象設定格納領域４２に格納されている初期設定ＷＳ１を消去して、指定設定ＷＳ３を対象設定格納領域４２に格納する。このため、多機能機１０は、アドホックモードからインフラストラクチャモードに変更される。
【００９０】
通話デバイス７０は、多機能機１０から指定設定ＷＳ３を受信すると、指定設定格納領域８６に格納されている指定設定ＷＳ２を消去して、指定設定ＷＳ３を指定設定格納領域８６に格納する。次いで、通話デバイス７０は、指定設定格納領域８６に格納されている指定設定ＷＳ３を、対象設定格納領域９２に格納する。これにより、通話デバイス７０は、アドホックモードからインフラストラクチャモードに変更される。
【００９１】
通話デバイス７０は、指定設定ＷＳ３を利用して、ＡＰ１１と無線通信を実行するために、ＡＰ１１と接続確立処理を実行する。図示省略するが、多機能機１０も、指定設定ＷＳ３を利用して、ＡＰ１１と無線通信を実行するために、ＡＰ１１と接続確立処理を実行する。これにより、ＡＰ６が廃止され、新たにＡＰ１１が設置された場合に、多機能機１０に、指定設定ＷＳ３を指定することによって、通話デバイス７０と多機能機１０とが、インフラストラクチャの無線通信を実行可能になる。
【００９２】
また、多機能機１０は、ＡＰ６のＳＳＩＤ「ＭＭＭ」を含むＰｒｏｂｅ  Ｒｅｑｕｅｓｔに対して、ＳＳＩＤ「ＭＭＭ」を含むＰｒｏｂｅ  Ｒｅｓｐｏｎｓｅが受信されない場合（図３のＳ２４でＮＯ）、対象設定格納領域４２に格納されている初期設定ＷＳ１を利用して、無線通信を実行する。ＳＳＩＤ「ＭＭＭ」を含むＰｒｏｂｅ  Ｒｅｓｐｏｎｓｅが受信されない場合、多機能機１０は、指定設定ＷＳ２を利用して、通話デバイス７０と無線通信を実行できる可能性が低い。この場合、多機能機１０は、指定設定ＷＳ２を、通話デバイス７０に送信しない。また、多機能機１０は、初期設定ＷＳ１を、対象設定格納領域４２に格納されている状態を維持する。この結果、多機能機１０は、初期設定ＷＳ１を利用して、通話デバイス７０と無線通信を実行することができる。
【００９３】
（本実施例の効果）
上記の第１ケースでは、多機能機１０は、指定設定ＷＳ２を利用して、通話デバイス７０と無線通信を実行可能でない、即ち、ＰＩＮＧに対する応答が受信できない場合、多機能機１０は、初期設定ＷＳ１に含まれるＳＳＩＤ「ＡＡＡＹＹＹ」を含むＰｒｏｂｅ  Ｒｅｑｕｅｓｔを、ブロードキャストで送信する。通話デバイス７０は、対象設定格納領域９２に、初期設定ＷＳ１が格納されている場合、ＳＳＩＤ「ＡＡＡＹＹＹ」を含むＰｒｏｂｅ  Ｒｅｑｕｅｓｔに対して、ＳＳＩＤ「ＡＡＡＹＹＹ」を含むＰｒｏｂｅ  Ｒｅｓｐｏｎｓｅを送信する。この状況では、多機能機１０は、初期設定ＷＳ１を利用して、通話デバイス７０と、アドホックの無線通信を実行することができる。このため、多機能機１０は、ＳＳＩＤ「ＡＡＡＹＹＹ」を含むＰｒｏｂｅ  Ｒｅｓｐｏｎｓｅを受信する場合、対象設定格納領域４２に格納されている指定設定ＷＳ２を、初期設定ＷＳ１に変更する。これにより、多機能機１０は、初期設定ＷＳ１を利用して、通話デバイス７０と、アドホックの無線通信を実行することができる。
【００９４】
一方、上記の第２ケース及び第３ケースでは、多機能機１０は、初期設定ＷＳ１に含まれるＳＳＩＤ「ＡＡＡＹＹＹ」を含むＰｒｏｂｅ  Ｒｅｑｕｅｓｔを、ブロードキャストで送信しても、通話デバイス７０から、ＳＳＩＤ「ＡＡＡＹＹＹ」を含むＰｒｏｂｅ  Ｒｅｓｐｏｎｓｅを受信できない。この場合、多機能機１０は、初期設定ＷＳ１を利用して、通話デバイス７０と、アドホックの無線通信を実行することができない。このため、多機能機１０は、対象設定格納領域４２に格納されている指定設定ＷＳ２を消去せずに、維持する。これにより、多機能機１０は、ＡＰ６に接続されているＰＣ９と無線通信を実行可能な状態を維持することができる。この構成によれば、指定設定ＷＳ２を利用して、通話デバイス７０と無線通信が実行可能でない場合に、適切な設定情報を利用して無線通信を実行することができる。
【００９５】
（対応関係）
多機能機１０が「無線通信装置」の一例であり、通話デバイス７０が「特定のデバイス」の一例である。初期設定ＷＳ１が「第１の設定情報」の一例であり、指定設定ＷＳ２が「第２の設定情報」の一例である。ＮＶＲＡＭ３４が、「メモリ」の一例である。初期設定ＷＳ１に含まれるＳＳＩＤ「ＡＡＡＹＹＹ」が「第１のネットワーク識別子」の一例であり、指定設定ＷＳ２に含まれるＳＳＩＤ「ＭＭＭ」が、「第２のネットワーク識別子」の一例である。対象設定格納領域４２に格納されている設定情報が、「対象設定情報」の一例である。図３のＳ１６の処理が実行される場合が、「特定の場合」の一例であり、図３のＳ２４でＹＥＳの場合が、「第１の場合」の一例であり、図３のＳ２４でＮＯの場合が、「第２の場合」の一例である。表示部１４が、「出力部」の一例である。多機能機１０の製造番号（即ちＡＡＡＢＢＢ）が「第１の識別情報」の一例であり、通話デバイス７０の製造番号（即ちＹＹＹＺＺＺ）が「第２の識別情報」の一例である。
【００９６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例を採用してもよい。
【００９７】
（１）上記の実施例では、図３のＳ４において、判断部５４は、通話デバイス７０にＰＩＮＧを送信し、ＰＩＮＧに対する応答が受信される場合に、通話デバイス７０と無線通信を実行可能であると判断し、ＰＩＮＧに対する応答が受信されない場合に、通話デバイス７０と無線通信を実行可能でないと判断する。しかしながら、判断部５４は、指定設定ＷＳ２を利用して、ＦＡＸデータを、通話デバイス７０に送信できる場合に、通話デバイス７０と無線通信を実行可能であると判断し、ＦＡＸデータを通話デバイス７０に送信できない場合に、通話デバイス７０と無線通信を実行可能でないと判断してもよい。本変形例は、判断部５４は、「無線通信装置が現在利用すべき設定情報である対象設定情報が、第２の設定情報である場合に、第２の設定情報を利用して、特定のデバイスと無線通信を実行可能であるのか否かを判断する」構成に含まれる。
【００９８】
（２）上記の実施例では、図３のＳ１０において、出力制御部６０は、文字列「通話デバイスをリセットして下さい」を、表示部１４に表示させる。しかしながら、出力制御部６０は、文字列「通話デバイスをリセットして下さい」を表す画像の印刷を印刷実行部１６に実行させてもよい。本変形例では、印刷実行部１６が「出力部」の一例である。あるいは、出力制御部６０は、無線通信部５２に、「通話デバイスをリセットして下さい」を表すデータを、指定設定ＷＳ２を利用して、ＰＣ９に送信させてもよい。ＰＣ９は、文字列「通話デバイスをリセットして下さい」を、ＰＣ９の表示部に表示させてもよい。本変形例では、ＰＣ９の表示部が「出力部」の一例である。即ち、「無線通信装置」が「出力部」を備えていてもよいし、「無線通信装置」と異なるデバイスが「出力部」を備えていてもよい。
【００９９】
（３）上記の実施例では、初期設定ＷＳ１に含まれるＳＳＩＤ「ＡＡＡＹＹＹ」は、多機能機１０の製造番号（即ちＡＡＡＢＢＢ）の一部である「ＡＡＡ」と通話デバイス７０の製造番号（即ちＹＹＹＺＺＺ）の一部である「ＹＹＹ」とを用いて生成される。しかしながら、初期設定ＷＳ１に含まれるＳＳＩＤは、多機能機１０のＭＡＣアドレスと、通話デバイス７０のＭＡＣアドレスと、を用いて生成されてもよい。本変形例では、多機能機１０のＭＡＣアドレスが「第１の識別情報」の一例であり、通話デバイス７０のＭＡＣアドレスが「第２の識別情報」の一例である。
【０１００】
（４）上記の実施例では、多機能機１０は、図３のＳ１２において、ＳＳＩＤ「ＡＡＡＹＹＹ」を含むＰｒｏｂｅ  Ｒｅｑｕｅｓｔをブロードキャストで送信し、図３のＳ１４において、ＳＳＩＤ「ＡＡＡＹＹＹ」を含むＰｒｏｂｅ  Ｒｅｓｐｏｎｓｅを受信するのか否かを判断する。しかしながら、多機能機１０は、図３のＳ１２において、受信すべき対象のＳＳＩＤを含まないＰｒｏｂｅ  Ｒｅｑｕｅｓｔをブロードキャストで送信してもよい。この場合、多機能機１０から送信されたＰｒｏｂｅ  Ｒｅｑｕｅｓｔを受信した外部装置（例えば通話デバイス７０）は、外部装置が現在利用すべき設定情報に含まれるＳＳＩＤを含むＰｒｏｂｅ  Ｒｅｓｐｏｎｓｅを、Ｐｒｏｂｅ  Ｒｅｑｕｅｓｔに対する応答として、多機能機１０に送信してもよい。多機能機１０は、図３のＳ１４において、ＳＳＩＤ「ＡＡＡＹＹＹ」を含むＰｒｏｂｅ  Ｒｅｓｐｏｎｓｅを受信するかを判断してもよい。あるいは、多機能機１０は、図３のＳ１２の処理、即ち、Ｐｒｏｂｅ  Ｒｅｑｕｅｓｔの送信処理を実行しなくてもよい。この場合、多機能機１０は、外部装置（例えば通話デバイス７０）からのビーコン信号が受信されることを監視してもよい。多機能機１０は、ビーコン信号が受信される場合に、受信されたビーコン信号にＳＳＩＤ「ＡＡＡＹＹＹ」が含まれるのか否かを判断してもよい。受信されたビーコン信号にＳＳＩＤ「ＡＡＡＹＹＹ」が含まれる場合に、図３のＳ１６へ移行し、ＳＳＩＤ「ＡＡＡＹＹＹ」が含まれない場合に、図３のＳ６へ移行してもよい。一般的に言うと、多機能機１０は、指定設定ＷＳ２を利用して通話デバイス７０と無線通信を実行可能でないと判断される場合に（図３のＳ４でＮＯ）、初期設定ＷＳ１に含まれるＳＳＩＤ「ＡＡＡＹＹＹ」を、通話デバイス７０から受信するかを判断すればよい。
【０１０１】
（５）また、上記の実施例では、各部５２〜６２は、ＣＰＵ３２がプログラムを実行することによって実現される。これに代えて、各部５２〜６２のうちの少なくとも一部は、論理回路等のハードウェアによって実現されてもよい。
【０１０２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１０３】
２：無線通信システム、６：アクセスポイント、７：ＦＡＸ通信システム、１０：多機能機、３０：制御部、３４：ＮＶＲＡＭ、３６：指定設定格納領域、３８：初期設定格納領域、４２：対象設定格納領域、５２：無線通信部、５４：判断部、５６：設定変更部、６０：出力制御部、６２：消去部、７０：通話デバイス、７９：リセットボタン、８０：制御部
【図１】
0005945934.tif 000002
【図２】
0005945934.tif 000003
【図３】
0005945934.tif 000004
【図４】
0005945934.tif 000005
【図５】
0005945934.tif 000006
【図６】
0005945934.tif 000007
【図７】
0005945934.tif 000008
【図８】
0005945934.tif 000009
【図９】
0005945934.tif 000010